(57)【特許請求の範囲】
【請求項１】
アウターケーブルとアウターケーブル内に挿通されたインナーケーブルで構成される作動用ケーブルと、作動用ケーブルの一端に設けられ、前記インナーケーブルを引っ張り自在な操作手段と、インナーケーブルの張り具合を調整するアジャスター手段を備え、作動用ケーブルにおけるインナーケーブルの他端がエレクトリック・トローリング・モーターのロック部に接続されて、前記操作手段でインナーケーブルを引っ張ることにより、ロック部におけるロック状態が解除可能となされているエレクトリック・トローリング・モーターにおけるロック解除用具であって、前記操作手段が、作動用ケーブルにおけるインナーケーブルの一端が接続されたグリップ部材と、グリップ部材をインナーケーブルの引っ張り方向にスライド自在に保持するホルダー部材で構成されており、且つ前記グリップ部材およびホルダー部材がいずれも略方形枠状であり、グリップ部材は、インナーケーブルの引っ張り方向側部分が手で握るための把持部となされ、引っ張り方向と反対側部分にインナーケーブルの一端が接続され、ホルダー部材は、その内周部の全部または一部にグリップ部材をスライド自在に保持する凹溝を備えている、エレクトリック・トローリング・モーターにおけるロック解除用具。
【請求項２】
ホルダー部材が、グリップ部材のスライド方向に伸びる分離線を基準としてスライド方向と直交する方向に分割される二部材構成となされている、請求項１記載のエレクトリック・トローリング・モーターにおけるロック解除用具。
【請求項３】
アジャスター手段が、アウターケーブルにおけるホルダー部材側端部に取り付けられたスリーブと、スリーブ外周面におけるホルダー部材側端部に形成された雄ねじと、該雄ねじに嵌合するロックナットとで構成され、該ロックナットを回すことでインナーケーブルの張り具合が調整される、請求項１または請求項２記載のエレクトリック・トローリング・モーターにおけるロック解除用具。
【発明の詳細な説明】
【技術分野】
【０００１】
本発明は、バスフィッシングボート等において、主力のガソリンエンジン船外機の補助として用いられるエレクトリック・トローリング・モーター（以下、「エレキモーター」という）の不使用時におけるロックを解除するためのロック解除用具に関する。
【背景技術】
【０００２】
エレキモーターは、通常、比較的近距離のボード移動に使用され、フィッシングポイントまで低速で静かに接近することでバス等の魚に対するプレッシャーを軽減することができるものである。
【０００３】
エレキモーターは、スピードや進行方向を、手でコントロールするハンドコントロールタイプと足でコントロールするフットコントロールタイプの２つがある。
【０００４】
ハンドコントロールタイプは、フットコントロールタイプよりも構造が簡単でボートの船首と船尾のいずれにも取り付け可能であるが、左右いずれか一方の手でエレキモーターを操作している間、他方の手のみでロッドを持たなければならないため、ロッド操作が行い難く、突然のヒットにも対応し難い等の不都合がある。
【０００５】
一方、フットコントロールタイプは、ハンドコントロールタイプよりも構造が複雑で船首にしか取り付けられないものの、足ですべてコントロールするため、両手でロッドを持つことができ、ロッド操作や突然のヒットの際のフッキングも容易に行えることから広く普及しているのが実情である。
【０００６】
図１に示すように、一般的なフットコントロールタイプのエレキモーターの全体構成を説明すると、エレキモーター１は、プロペラ２を有するモータハウジング１１が先端部に取り付けられたパイプシャフト３と、パイプシャフト３の基端部に設けられたヘッド４と、コントロールケーブル５を介してヘッド４に接続された操作ペダル６と、パイプシャフト３を支持するマウント７等を有する。
【０００７】
マウント７はボートの船首部分に固定されるベース部８とベース部８後端のヒンジ９を介して回動自在なパイプシャフト支持部１２を有し、パイプシャフト支持部１２の先端部分から操作ロープ１４が出ている。
【０００８】
図２および図３に示すように、当該エレキモーター１の収納状態において、パイプシャフト支持部１２の先端部には、ロックのＯＮ／ＯＦＦを行うための操作杆１５と該操作杆１５をその軸方向と直交する方向に移動させるための長孔１６と前記操作杆１５に連結されたジョイント１７とジョイント１７に対して一体構成のロープ接続部材１８が設けられており、該ロープ接続部材１８に操作ロープ１４の先端部が接続されている。
【０００９】
そして、操作ロープ１４を引くことで操作杆１５も引き寄せられて最終的にロックピン（図示せず）が外れてロックが解除される。
【先行技術文献】
【特許文献】
【００１０】
【特許文献１】特開平１０−１６７１８７
【発明の概要】
【発明が解決しようとする課題】
【００１１】
従来、前述したフットコントロールタイプのエレキモーターにおいて、前述したロック機能を解除してエレキモーターを使用する場合、前記操作ロープ１４をパイプシャフト支持部１２の軸方向に水平に引かないとロックが解除されないという不都合がある。そのため、エレキモーターの使用者は操作ロープ１４の引き角度に注意して該操作ロープ１４を引かなければならないのが実情である。
【００１２】
本発明の目的は、操作ロープを水平に引かなくても容易にロックを解除することができる、ロック解除用具を提供することにある。
【課題を解決するための手段】
【００１３】
請求項１記載の本発明は、アウターケーブルとアウターケーブル内に挿通されたインナーケーブルで構成される作動用ケーブルと、作動用ケーブルの一端に設けられ、前記インナーケーブルを引っ張り自在な操作手段と、インナーケーブルの張り具合を調整するアジャスター手段を備え、作動用ケーブルにおけるインナーケーブルの他端がエレクトリック・トローリング・モーターのロック部に接続されて、前記操作手段でインナーケーブルを引っ張ることにより、ロック部におけるロック状態が解除可能となされているエレクトリック・トローリング・モーターにおけるロック解除用具であって、前記操作手段が、作動用ケーブルにおけるインナーケーブルの一端が接続されたグリップ部材と、グリップ部材をインナーケーブルの引っ張り方向にスライド自在に保持するホルダー部材で構成されており、且つ前記グリップ部材およびホルダー部材がいずれも略方形枠状であり、グリップ部材は、インナーケーブルの引っ張り方向側部分が手で握るための把持部となされ、引っ張り方向と反対側部分にインナーケーブルの一端が接続され、ホルダー部材は、その内周部の全部または一部にグリップ部材をスライド自在に保持する凹溝を備えている、エレクトリック・トローリング・モーターにおけるロック解除用具。
【００１４】
請求項２記載の本発明は、前記請求項１記載のエレキモーターについて、ホルダー部材が、グリップ部材のスライド方向に伸びる分離線を基準としてスライド方向と直交する方向に分割される二部材構成となされていることを特徴とする。
【００１５】
請求項３記載の本発明は、前記請求項１または請求項２記載のエレキモーターについて、アジャスター手段が、アウターケーブルにおけるホルダー部材側端部に取り付けられたスリーブと、スリーブ外周面におけるホルダー部材側端部に形成された雄ねじと、該雄ねじに嵌合するロックナットとで構成され、該ロックナットを回すことでインナーケーブルの張り具合が調整されることを特徴とする。
【発明の効果】
【００１６】
本発明のエレキモーターにおけるロック解除用具は、アウターケーブルとアウターケーブル内に挿通されたインナーケーブルで構成される作動用ケーブルと、作動用ケーブルの一端に設けられ、前記インナーケーブルを引っ張り自在な操作手段と、インナーケーブルの張り具合を調整するアジャスター手段を備え、作動用ケーブルにおけるインナーケーブルの他端がエレキモーターのロック部に接続されて、前記操作手段でインナーケーブルを引っ張ることにより、ロック部におけるロック状態が解除可能となされているものであるため、従来のように、操作ロープをマウントの軸方向と平行に引かなくてもロックが解除される。
【００１７】
すなわち、本発明のロック解除用具によれば、操作手段で作動用ケーブルにおけるインナーケーブルを引っ張るだけでロックを簡単に解除することができる。
【００１８】
また、請求項２記載の本発明に係るロック解除用具は、操作手段が、作動用ケーブルにおけるインナーケーブルの一端が接続されたグリップ部材と、グリップ部材をインナーケーブルの引っ張り方向にスライド自在に保持するホルダー部材で構成されているため、グリップ部材を握るだけでロックを解除することができる。
【００１９】
更に、請求項３記載の本発明に係るロック解除用具は、グリップ部材およびホルダー部材がいずれも略方形枠状であり、グリップ部材は、インナーケーブルの引っ張り方向側部分が手で握るための把持部となされ、引っ張り方向と反対側部分にインナーケーブルの一端が接続され、ホルダー部材は、その内周部にグリップ部材をスライド自在に保持する凹溝を備えているものであるため、グリップ部材を握ることによって該グリップ部材がホルダー部材内で引っ張り方向に移動するのに伴ってインナーケーブルが引っ張られる結果、ロックが解除され得る。
【００２０】
また、請求項４記載の本発明に係るロック解除用具は、前記ホルダー部材が、グリップ部材のスライド方向に伸びる分離線を基準としてスライド方向と直交する方向に分割される二部材構成となされているため、これら部材を分離して解放状態とすることができ、組立および分解が容易に行えるという利点を有する。
【００２１】
この他、請求項５記載の本発明に係るロック解除用具は、アジャスター手段が、アウターケーブルにおけるホルダー部材側端部に取り付けられたスリーブと、スリーブ外周面におけるホルダー部材側端部に形成された雄ねじと、該雄ねじに嵌合するロックナットとで構成され、該ロックナットを回すことでインナーケーブルの張り具合が調整されるものであるため、比較的簡素化された構造でインナーケーブルの張り具合を簡単に調整することが可能となる。
【図面の簡単な説明】
【００２２】
【図１】エレキモーターの全体構成を示す斜視図である。
【図２】エレキモーターのロック部に本発明の解除用具が取り付けられた状態の斜視図である。
【図３】エレキモーターのロック部の拡大斜視図である。
【図４】本発明に係るロック解除用具の全体を示す斜視図である。
【図５】ホルダー部材を分解して内部のグリップ部材の収容状態を示した斜視図である。
【図６】ホルダー部材内においてインナーケーブルによりグリップ部材がロック部側へ戻された状態を示す斜視図である。
【図７】ロック解除用具によってロック部のロックを解除する際の斜視図である。
【図８】ロック解除用具によってロック部のロックを解除された状態を示す斜視図である。
【発明を実施するための形態】
【００２３】
次に、本発明の実施形態を図面にしたがって説明するが、本発明はかかる実施形態に限定されるものではない。
【００２４】
前述したエレキモーター１において、本発明に係るロック解除用具は、従来の操作ロープ１４に代えて使用するものである。
【００２５】
すなわち、図４に示すように、ロック解除用具２１は、アウターケーブル２３とアウターケーブル２３内に挿通されたインナーケーブル２４で構成される作動用ケーブル２２と、作動用ケーブル２２の一端に設けられ、前記インナーケーブル２４を引っ張り自在な操作手段２５と、インナーケーブル２４の張り具合を調整するアジャスター手段２６を備え、作動用ケーブル２２におけるインナーケーブル２４の他端が前記エレキモーター１のロープ接続部材１８に接続されて、前記操作手段２５でインナーケーブル２４を引っ張ることにより、ロックピン（図示せず）が外れてロック状態が解除可能となされている。
【００２６】
図５および図６に示すように、操作手段２５は、作動用ケーブル２２におけるインナーケーブル２４の一端２４ａが接続されたグリップ部材２７と、グリップ部材２７をインナーケーブル２４の引っ張り方向にスライド自在に保持するホルダー部材２８で構成されている。
【００２７】
グリップ部材２７およびホルダー部材２８は、いずれも略方形枠状であり、グリップ部材２７は、インナーケーブル２４の引っ張り方向側部が手で握るための把持部３１となされ、引っ張り方向と反対側部に前記インナーケーブル２４の一端が接続される。ホルダー部材２８は、その内周部にグリップ部材２７をスライド自在に保持する凹溝３２を備えている。本実施形態では、凹溝３２はホルダー部材２８の内周全体にわたって形成されているが、例えば図５において、その両側部分３２ａ・３２ｂだけに形成するようにしても良い。
【００２８】
また、図４〜図６に示すように、ホルダー部材２８は、より詳細には、グリップ部材２７のスライド方向に伸びる分離線ＤＬを基準としてスライド方向と直交する方向に分割される二部材構成となされている。
【００２９】
アジャスター手段２６は、アウターケーブル２３におけるホルダー部材側端部に取り付けられたスリーブ３３と、スリーブ３３の外周面におけるホルダー部材側端部に形成された雄ねじ３３ａと、雄ねじ３３ａに嵌合するロックナット３４とで構成され、該ロックナット３４を回すことでインナーケーブル２４の張り具合が調整されるようになされている。
【００３０】
なお、図中２９はワッシャ、４１はスリーブ３３の端部に形成された係合フランジを示す。
【００３１】
そして、本実施形態では、作動用ケーブル２２の他端側にも前述したアジャスター手段２６が設けられている。
【００３２】
また、本実施形態におけるインナーケーブル２４は、金属ワイヤーケーブルである。
【００３３】
次に、図７および図８に示すように、本実施形態に係るロック解除用具２１の使用方法について説明すると、従来の操作ロープ１４に代えて、ロープ接続部材１８に本発明のロック解除用具２１におけるインナーケーブル２４を接続した後、グリップ部材２７の把持部３１を握るだけでインナーケーブル２４を介して前記ロープ接続部材１８およびこれと一体のジョイント１７並びに操作杆１５が引き寄せられ、これに伴ってロックピンが外れる。
【産業上の利用可能性】
【００３４】
本発明のエレキモーターにおけるロック解除用具によれば、エレキモーターのロックをその角度に関係なく容易に解除することができるため、バスフィッシングボート等の分野において幅広い利用が期待できる。
【符号の説明】
【００３５】
１  エレキモーター
２１  ロック解除用具
２２  作動ケーブル
２３  アウターケーブル
２４  インナーケーブル
２５  操作手段
２６  アジャスター手段
２７  グリップ部材
２８  ホルダー
【図１】
0006433843.tif 000002
【図２】
0006433843.tif 000003
【図３】
0006433843.tif 000004
【図４】
0006433843.tif 000005
【図５】
0006433843.tif 000006
【図６】
0006433843.tif 000007
【図７】
0006433843.tif 000008
【図８】
0006433843.tif 000009